(57)【要約】【課題】ユーザが意図した設定に従って印刷データの印刷を可能とする。【解決手段】印刷ジョブを実行して印刷データを媒体に印刷する画像形成装置であって、ユーザから１または複数の印刷ジョブの選択を受け付ける操作パネルと、画像処理装置の消耗品に関する状態を検知するセンサと、印刷ジョブを実行する時点における消耗品に関する状態を示す情報と、印刷データの印刷条件とに基づいて、ユーザから選択された印刷ジョブについて、消耗品について節約設定するための節約設定画面を操作パネルに表示し、ユーザにより設定された消耗品の節約設定にしたがって印刷ジョブを実行し、印刷データを媒体に印刷する制御部と、を備える。【選択図】図６
2019155818.tif 000002
【特許請求の範囲】
【請求項１】
印刷ジョブを実行して印刷データを媒体に印刷する画像形成装置であって、
ユーザから１または複数の前記印刷ジョブの選択を受け付ける操作パネルと、
前記画像処理装置の消耗品に関する状態を検知するセンサと、
前記印刷ジョブを実行する時点における前記消耗品に関する状態を示す情報と、前記印刷データの印刷条件とに基づいて、前記ユーザから選択された前記印刷ジョブについて、前記消耗品について節約設定するための節約設定画面を前記操作パネルに表示し、前記ユーザにより設定された前記消耗品の節約設定にしたがって前記印刷ジョブを実行し、前記印刷データを前記媒体に印刷する制御部と、
を備えることを特徴とする画像形成装置。
【請求項２】
前記センサは、前記消耗品に関する状態を示す情報としてトナー残量を検知し、
前記制御部は、前記印刷ジョブを実行する時点における前記トナー残量と、前記印刷データの印刷条件とに基づいて、前記節約設定画面を前記操作パネルに表示し、前記ユーザにより設定された前記消耗品の節約設定にしたがって前記印刷ジョブを実行する、
ことを特徴とする請求項１に記載の画像形成装置。
【請求項３】
前記制御部は、前記印刷データの印刷条件として、カラー印刷の有無または／および両面印刷の有無を前記印刷ジョブから読み取り、読み取った前記カラー印刷の有無または／および両面印刷の有無に関する節約設定画面を前記操作パネルに表示し、前記ユーザにより設定された前記消耗品の節約設定にしたがって前記印刷ジョブを実行する、
ことを特徴とする請求項１に記載の画像形成装置。
【請求項４】
ネットワークと接続するための通信部を備え、
前記制御部は、前記印刷ジョブを前記ネットワーク経由で実行する場合において、前記通信部から得られる回線速度または／および前記印刷データの大きさを読み取り、前記ネットワーク経由での印刷が一定以上の時間がかかるか否かを判定し、前記ネットワーク経由での印刷が一定以上の時間がかかると判定した場合、前記カラー印刷の有無または／および両面印刷の有無に関する節約設定画面を前記操作パネルに表示する、
ことを特徴とする請求項３に記載の画像形成装置。
【請求項５】
前記制御部は、前記印刷ジョブを実行するための印刷ジョブ実行画面であって、前記節約設定にしたがって前記印刷ジョブを実行するための節約実行キーと、前記節約設定を行わずに前記印刷ジョブを実行するための実行キーとを表示した前記印刷ジョブ実行画面を前記操作パネルに表示し、前記ユーザから前記節約実行キーまたは前記実行キーのいずれかの選択を受け付けて、前記印刷ジョブを実行する、
ことを特徴とする請求項１に記載の画像形成装置。
【請求項６】
前記制御部は、前記節約実行キーを、節約設定する項目ごとに１または複数設定した前記印刷ジョブ実行画面に表示し、前記ユーザから前記節約実行キーのいずれかの選択を受け付けて、前記印刷ジョブを実行する、
ことを特徴とする請求項５に記載の画像形成装置。
【請求項７】
前記制御部は、前記ユーザごとに、前記節約設定画面を前記操作パネルに表示する、
ことを特徴とする請求項１に記載の画像形成装置。
【請求項８】
印刷ジョブを実行して印刷データを媒体に印刷する画像形成装置で行われる画像形成方法であって、
制御部が、センサにより検知された、前記印刷ジョブを実行する時点における前記画像処理装置の消耗品に関する状態を示す情報と、前記印刷データの印刷条件とに基づいて、ユーザにより操作パネルから選択された１または複数の前記印刷ジョブについて、前記消耗品について節約設定するための節約設定画面を前記操作パネルに表示し、
前記制御部が、前記ユーザにより設定された前記消耗品の節約設定にしたがって前記印刷ジョブを実行し、前記印刷データを前記媒体に印刷する、
ことを特徴とする画像形成方法。
【請求項９】
コンピュータに、
センサにより検知された、印刷ジョブを実行する時点における画像処理装置の消耗品に関する状態を示す情報と、前記印刷ジョブを実行して媒体に印刷する印刷データの印刷条件とに基づいて、ユーザにより操作パネルから選択された１または複数の前記印刷ジョブについて、前記消耗品について節約設定するための節約設定画面を前記操作パネルに表示する処理と、
前記ユーザにより設定された前記消耗品の節約設定にしたがって前記印刷ジョブを実行し、前記印刷データを前記媒体に印刷する処理と、
を実行させることを特徴とする画像形成プログラム。
【発明の詳細な説明】
【技術分野】
【０００１】
本発明は、画像形成装置、画像形成方法、および画像形成プログラムに関する。
【背景技術】
【０００２】
従来から、印刷時におけるトナーの使用量を設定する様々な技術が存在する。例えば、特許文献１では、使用者によって設定されているトナーセーブの条件に基づき、トナーセーブを実行するか否かを判断する技術が開示されている（例えば、特許文献１）。
【発明の概要】
【発明が解決しようとする課題】
【０００３】
上記特許文献１では、所定の条件下ではユーザに選択権を与えずに自動的にトナーセーブされてしまう。このため、ユーザが意図していない設定に従って画像を印刷してしまう可能性があるという問題があった。
本発明は、ユーザが意図した設定に従って印刷データの印刷が可能な画像形成装置を提供することを目的とする。
【課題を解決するための手段】
【０００４】
本発明にかかる画像形成装置は、印刷ジョブを実行して印刷データを媒体に印刷する画像形成装置であって、ユーザから１または複数の前記印刷ジョブの選択を受け付ける操作パネルと、前記画像処理装置の消耗品に関する状態を検知するセンサと、前記印刷ジョブを実行する時点における前記消耗品に関する状態を示す情報と、前記印刷データの印刷条件とに基づいて、前記ユーザから選択された前記印刷ジョブについて、前記消耗品について節約設定するための節約設定画面を前記操作パネルに表示し、前記ユーザにより設定された前記消耗品の節約設定にしたがって前記印刷ジョブを実行し、前記印刷データを前記媒体に印刷する制御部と、を備える。
【発明の効果】
【０００５】
本発明によれば、ユーザが意図した設定に従って印刷データの印刷が可能となる。
【図面の簡単な説明】
【０００６】
【図１】印刷制御システムの構成例を示す図である。
【図２】画像処理装置のハードウェア構成例を示す図である。
【図３】操作パネルの操作画面に表示されるジョブリスト表示画面の例を示す図である。
【図４】節約設定画面の例を示す図である。
【図５】節約設定有効時の印刷シーケンス図である。
【図６】節約設定判定処理の処理手順を示すフローチャートである。
【発明を実施するための形態】
【０００７】
以下、添付図面を参照して、画像形成装置、画像形成方法、および画像形成プログラムの実施の形態を詳細に説明する。以下に説明するように、印刷ジョブを蓄積して印刷する印刷制御システムにおいて、出力時に印刷条件の設定（カラー・面・部数等）を変更するに際して、出力する時点のＭＦＰ（Multifunction Peripheral）のCapability情報（トナー量、用紙等）に基づいて、ユーザごとに節約設定の表示有無・デフォルトの設定を変更でき、また、複数の蓄積ジョブを一括印刷する場合、複数ジョブに対して一括で節約設定の適用・非適用を決定することが特徴になっている。
【０００８】
図１は、本実施形態に係る印刷制御システム１の構成例を示す図である。図１に示すように、印刷制御システム１は、画像処理装置１００と、情報処理装置２００と、印刷管理サーバ３００とが、インターネット等の通信回線網であるネットワークＮを介して接続される。
画像処理装置１００は、印刷機能を含む画像処理機能を有する機器であり、例えば、ＭＦＰやＬＰ（Laser Printer）などである。情報処理装置２００は、情報処理機能を有する機器であり、例えば、ＰＣ（Personal Computer）などである。印刷管理サーバ３００は、画像処理装置１００から印刷するジョブを管理するサーバ装置などである。
【０００９】
本実施形態に係る印刷制御システム１では、ユーザに対して、次のような印刷サービスが提供される。例えば、情報処理装置２００から印刷管理サーバ３００に対して印刷ジョブが送信され、印刷管理サーバ３００に印刷ジョブが蓄積される。当該印刷ジョブには、実際に画像形成装置１００から印刷される印刷データのほか、その印刷データを印刷する際の印刷条件（例えば、カラー印刷やモノクロ印刷といった印刷属性、片面印刷や両面印刷といった印刷面、印刷方向や印刷部数等の印刷データの印刷条件に関する情報）が含まれる。
その後、画像処理装置１００は、当該画像処理装置１００の操作パネル１２０に表示された操作画面を介してユーザがログインすると、印刷管理サーバ３００に蓄積された上記ログインしたユーザの印刷ジョブの一覧を取得し、上記操作画面に表示する。そして、当該画像処理装置１００は、上記ログインしたユーザから、印刷ジョブの中から選択指定及び実行指示された印刷ジョブを出力し、印刷する。
【００１０】
図２は、本実施形態に係る画像処理装置１００のハードウェア構成例を示す図である。なお、図２には、画像処理装置１００がＭＦＰであった場合の例が示されている。
図２に示すように、画像処理装置１００は、コントローラ１１０、操作パネル１２０、プロッタ１３０、及びスキャナ１４０、トナー残量検知センサ１５０、用紙残量検知センサ１６０などを備え、それぞれが相互にバスＢなどにより電気的に接続されている。
操作パネル１２０は、表示部及び入力部を備えており、機器情報などの各種情報をユーザに提供したり、動作設定や動作指示などの各種ユーザ操作を受け付けたりする。プロッタ１３０は、画像形成部を備えており、用紙に出力画像を形成する。出力画像を形成する方式には、例えば、電子写真プロセスやインクジェット方式などがある。スキャナ１４０は、原稿を光学的に読み取り、読み取り画像を生成する。
【００１１】
コントローラ１１０は、ＣＰＵ（Central Processing Unit）１１１、記憶装置１１２、ネットワークＩ／Ｆ１１３、及び外部記憶Ｉ／Ｆ１１４などを備えており、それぞれが相互にバスＢで接続されている。
ＣＰＵ１１１は、プログラムを実行することで装置全体を制御する。また、記憶装置１１２は、上記プログラムや各種データ（例えば「画像データ」）を格納し保持する。記憶装置２１２には、例えば、揮発性のメモリであるＲＡＭ（Random Access Memory）、不揮発性のメモリであるＲＯＭ（Read Only Memory）、及び大容量の記憶領域を備えたＨＤＤ（Hard Disk Drive）などがある。ＲＡＭは、ＣＰＵ１１１のワークエリア（プログラムやデータが一時的に読み出される記憶エリア）として機能する。ＲＯＭやＨＤＤは、プログラムや各種データの格納先として用いられる。これにより、画像処理装置１００では、ＣＰＵ１１１がＲＯＭに格納されたプログラムをＲＡＭ上に読み出し、プログラムを実行する。
【００１２】
なお、上記プログラムは、インストール可能な形式又は実行可能な形式のファイルでＵＳＢ（Universal Serial Bus）メモリ等のコンピュータで読み取り可能な記録媒体に記録されて提供したり、インターネット等のネットワークに接続された他のコンピュータ上に格納し、ネットワーク経由でダウンロードさせることにより、提供または配布するように構成してもよい。
ネットワークＩ／Ｆ１１３は、画像処理装置１００をネットワークなどの所定のデータ伝送路であるネットワークＮに接続するためのインタフェースである。これにより、画像処理装置１００は、ネットワークＩ／Ｆ１１３を介して、情報処理装置２００や印刷管理サーバ３００とデータ通信を行うことができる。
【００１３】
外部記憶Ｉ／Ｆ１１４は、外部記憶装置にあたる記録媒体１１４ａを接続するためのインタフェースである。記録媒体１１４ａには、例えば、ＳＤメモリカード（SD memory card）やＵＳＢメモリ（Universal Serial Bus memory）などがある。これにより、画像処理装置１００は、外部記憶Ｉ／Ｆ１１４を介して、記録媒体１１４ａの読み取り及び／又は書き込みを行うことができる。
トナー残量検知センサ１５０は、例えば、圧電センサ、透過光センサなどを用いることができ、画像処理装置１００のトナーの残量を検知する。
紙残量検知センサ１６０は、例えば、フォトセンサ、リミットスイッチ等に、図示しない発光素子と受光素子間の光を遮断することで紙を検出する状態検出部材である移動可能なフィラーを組み合わせた検知手段から構成され、画像処理装置１００の用紙の残量を検知する。
【００１４】
図３は、操作パネル１２０の操作画面に表示されるジョブリスト表示画面の例を示す図である。当該ジョブリスト表示画面は、ユーザが画像処理装置１００にログインし、ログイン後に表示されるユーザ一覧の中から当該ユーザが選択された後に表示され、印刷ジョブを実行するための画面（印刷ジョブ実行画面）である。当該ジョブリスト表示画面には、ログインしたユーザが印刷管理サーバ３００に蓄積した印刷ジョブの一覧が表示される。具体的には、ジョブリスト表示画面３０１として、印刷ジョブの一覧を示すジョブリスト３０１１と、ジョブリスト３０１１の中から印刷を実行するジョブを選択する選択キー３０１２と、印刷ジョブを実行する際の各種設定や当該設定を変更するための設定変更キー３０１３と、後述する節約設定を行わずに印刷ジョブを実行して印刷するスタート（実行）キー３０１４とを含んでいる。図３では、選択キー３０１２が操作されて４つの印刷ジョブが選択された後、いずれかの印刷ジョブを削除する状態を示している。印刷ジョブは１件ごとに選択可能であり、ユーザからスタートキー３０１４の押下を受け付けると、コントローラ１１０は、選択された印刷ジョブについて、設定された印刷条件にしたがって印刷ジョブを実行する。なお、節約設定が有効で、設定可能なジョブが含まれる場合は、後述の節約設定画面を表示する。
【００１５】
図４は、節約設定画面の例を示す図である。当該画面は、上記操作画面に含まれるジョブリスト３０１１の中から印刷ジョブが選択され、スタートキー３０１４が押下されると表示される。図４に示すように、節約設定画面４０１には、ログインしたユーザが実行した印刷ジョブについて、印刷時の節約設定が可能であることを示すポップアップ画面が表示される。具体的には、上記ポップアップ画面として、節約を促すメッセージ４０１１と、節約設定可能な設定項目４０１２と、印刷を実行する印刷実行キー４０１３と、印刷の実行をキャンセルするキャンセルキー４０１４とを含む画面が表示される。
【００１６】
設定項目４０１２は、ユーザにより選択されることで当該設定の有効・無効が切り替え可能である。コントローラ１１０は、設定項目４０１２から上記設定が有効である旨の受け取り、印刷実行キー４０１３が押下されると、有効であるとして節約設定された条件で印刷ジョブを実行する。図４では、節約設定可能な項目として、カラー抑制、印刷面抑制の２つの設定が可能であり、前者の設定が有効にされていることを示している。
このように、本実施例では、図３に示したスタートキー３０１４が押下された後に節約設定画面４０１が表示され、当該節約設定画面４０１において、再度印刷実行キー４０１３が押下されることにより、実際の印刷が開始される。このため、ユーザに必ず節約設定の確認をさせることが可能となる。
【００１７】
なお、図４に示した節約設定可能な項目の設定や変更は、図３に示したスタートキー３０１４が押下される前にも変更可能である。例えば、コントローラ１１０は、ユーザから図３に示したジョブリスト表示画面３０１に表示される設定変更キー３０１３の押下を受け付けると、設定可能な項目と、当該項目の設定値とを対応付けた設定項目一覧を表示し、ユーザが当該設定項目一覧の中から選択した項目の設定値を設定し、または変更することができる。このように、事前に節約設定がされている場合は、コントローラ１１０は、図４に示した節約設定画面４０１を表示しないように制御する。さらに、図４に示した節約設定画面に表示される各項目の設定（例えば、ＯＮまたはＯＦＦ）のデフォルト値は、管理者が任意に選択し、変更可能とする。
【００１８】
また、本実施例では、印刷ジョブの出力時の設定（例えば、出力時のカラー印刷、印刷面、部数等の印刷設定）の設定や変更を行う場合において、節約設定可能な項目として、カラー抑制、印刷面抑制等の印刷条件を例示した。しかし、印刷ジョブを出力する時点における画像処理装置１００の消耗品に関する状態（例えば、トナー残量、用紙残量等のCapability情報）に基づいて、ユーザごとに節約設定の表示有無やデフォルト値の設定を変更してもよい。すなわち、コントローラ１１０は、ログインしたユーザごとに、出力する印刷ジョブの印刷属性（例えば、カラー印刷またはモノクロ印刷）と、各種センサにより検知された情報に基づいて判断した、印刷ジョブが出力される時点の画像処理装置１００の上記消耗品に関する状態とを読み取り、当該印刷ジョブを出力する時点で節約が必要である項目（例えば、カラー抑制、印刷面抑制）を節約設定項目として操作パネル１２０の操作画面に表示し、当該ユーザに提示してもよい。
【００１９】
さらに、コントローラ１１０は、印刷ジョブをネットワーク経由で実行する場合には、ネットワークＩ／Ｆ１１３等のネットワークに接続するための通信部から得られる回線速度や、印刷ジョブで出力される印刷データの大きさを読み取り、ネットワーク経由での印刷に一定以上の時間がかかったり、一定以上の回線負荷がかかるか否かを判定し、上記時間がかかったり、上記回線負荷がかかると判定した場合には、印刷ジョブが出力される時点の画像処理装置１００の状態として処理能力が低下する可能性があると判断し、例えば、カラー抑制、印刷面抑制）を節約設定項目として操作パネル１２０の操作画面に表示し、ユーザに提示してもよい。
なお、図３に示したように、印刷ジョブが複数選択され、一括印刷する場合には、コントローラ１１０は、選択した複数ジョブに対して、一括して節約設定の適用または非適用を決定することができる。
【００２０】
また、図３では、スタートキー３０１４が押下された後に節約設定画面４０１を表示することとした。しかし、図３に示す節約スタート（実行）キー３０１５をスタートキー３０１４に並列して表示し、ユーザに選択させた上で印刷ジョブを実行してもよい。これにより、スタートキー３０１４を押した後に節約するか否かを設定した後に再度指示をすることなく、１回の操作で通常通り印刷するか、または節約して印刷するかを選択することが可能となる。さらに、節約スタートキー３０１５としては、具体的な節約項目に対応するスタートキーを表示してもよい。例えば、節約スタートキー３０１５として、「両面印刷スタート」、あるいは「トナーセーブスタート」のようなスタートキーを、節約項目ごとに１または複数設定し、表示してもよい。
【００２１】
図５は、節約設定有効時の印刷シーケンス図である。図５に示すように、まず、情報処理装置２００が、ユーザＵから印刷ジョブの指定を受け付けると（Ｓ５０１）、当該印刷ジョブを画像形成装置１００に送信し、印刷ジョブが蓄積される（Ｓ５０２、Ｓ５０３）。以下では、印刷ジョブが情報処理装置２００から画像形成装置１００に直接送信される場合について示しているが、実際には、情報処理装置２００から印刷管理サーバ３００に対して印刷ジョブが送信され、印刷管理サーバ３００に印刷ジョブが蓄積され、画像処理装置１００を操作してユーザＵがログインすると、印刷管理サーバ３００に蓄積されたユーザＵの印刷ジョブの一覧が取得される。
【００２２】
その後、画像形成装置１００は、ユーザＵからログイン操作およびユーザ選択操作を受け付けると（Ｓ５０４）、画像形成装置１００のコントローラ１１０は、印刷ジョブの一覧を含むジョブリスト表示画面３０１を表示する（Ｓ５０５）。コントローラ１１０は、上記ジョブリスト表示画面３０１に表示された印刷ジョブの一覧の中から出力する印刷ジョブの選択を受け付け（Ｓ５０６）、スタートキー３０１４の押下を受け付けると（Ｓ５０７）、節約設定判定処理を実行する（Ｓ５０８）。節約設定判定処理では、印刷ジョブの一覧の中からユーザＵにより選択された印刷ジョブについて、スタートキー３０１４が押下されると、コントローラ１１０が、選択された印刷ジョブの印刷属性や、その時点における画像形成装置１００のCapabilityをチェックする。コントローラ１１０は、上記チェックにより節約可能な設定があるか否かを判定し、節約可能な設定があると判定した場合、図４に示した節約設定画面４０１を表示する（Ｓ５０８１）。ユーザＵにより節約設定の適用可否が選択され（Ｓ５０８２）、印刷実行キー４０１３が押下されると（Ｓ５０８３）、コントローラ１１０は、節約設定の有効・無効に基づいて印刷ジョブの印刷属性を変更する（Ｓ５０８４）。節約設定判定処理の詳細については、図６を用いて後述する。
画像形成装置１００のコントローラ１１０は、節約設定判定処理を実行すると、その判定結果に基づいて節約設定された印刷ジョブ、あるいは上記判定結果に基づいて節約設定されなかった印刷ジョブを送信し、印刷を実行する（Ｓ５０９）。
【００２３】
図６は、節約設定判定処理の処理手順を示すフローチャートである。節約設定判定処理では、画像形成装置１００の印刷時点のcapabilityや、印刷ジョブの印刷属性に応じて節約設定画面の表示を制御する。
画像形成装置１００のコントローラ１１０は、選択された印刷ジョブの印刷属性を含む印刷条件をチェックする（Ｓ６０１）。例えば、コントローラ１１０は、上記印刷ジョブがカラー印刷またはモノクロ印刷にいずれであるかを印刷ジョブから読み取る。続いて、コントローラ１１０は、当該印刷ジョブの印刷時に節約可能な設定があるか否かを判定する（Ｓ６０２）。節約設定が可能な項目については、画像形成装置１００にあらかじめ定めておけばよい。
コントローラ１１０は、当該印刷ジョブの印刷時に節約可能な設定があると判定した場合（Ｓ６０２；Ｙｅｓ）、画像形成装置１００のcapabilityをチェックする（Ｓ６０３）。当該チェックでは、例えば、コントローラ１１０は、トナー残量検知センサ１５０、用紙残量検知センサ１６０により検知された、その時点の画像処理装置１００のトナー残量、用紙残量を読み取る。一方、コントローラ１１０は、当該印刷ジョブの印刷時に節約可能な設定がないと判定した場合（Ｓ６０２；Ｎｏ）、Ｓ６１７に進み、そのまま印刷を実行する。
【００２４】
Ｓ６０３の処理を実行すると、コントローラ１１０は、Ｓ６０１におけるチェック結果に基づいて、印刷ジョブがカラー印刷を行う印刷ジョブであるか否かを判定する（Ｓ６０４）。コントローラ１１０は、印刷ジョブがカラー印刷を行う印刷ジョブであると判定した場合（Ｓ６０４；Ｙｅｓ）、さらに、Ｓ６０３におけるチェック結果に基づいて、現時点における画像形成装置１００の各色（Ｙ、Ｍ、Ｃ、Ｋ）のトナー残量をチェックする（Ｓ６０５）。
画像形成装置１００のコントローラ１１０は、各色のトナー残量が所定の閾値以下であるか否かを判定し（Ｓ６０６）、各色のトナー残量が所定の閾値以下であると判定した場合（Ｓ６０６；Ｙｅｓ）、各色のトナー残量が少ないと判断し、節約設定可能な項目として、トナー節約（モノクロ変更）の表示をＯＮにする（Ｓ６０７）。一方、コントローラ１１０は、各色のトナー残量が所定の閾値よりも大きいと判定した場合（Ｓ６０６；Ｎｏ）、節約設定可能な項目として、トナー節約（モノクロ変更）の表示をＯＦＦにした後（Ｓ６０８）、画像形成装置１００の紙残量をチェックする（Ｓ６０９）。
【００２５】
コントローラ１１０は、画像形成装置１００の紙残量が所定の閾値以下であるか否かを判定し（Ｓ６１０）、画像形成装置１００の紙残量が所定の閾値以下であると判定した場合（Ｓ６１０；Ｙｅｓ）、画像形成装置１００の紙残量が少ないと判断し、節約設定可能な項目として、紙節約（両面・集約変更）の表示をＯＮにする（Ｓ６１１）。一方、コントローラ１１０は、画像形成装置１００の紙残量が所定の閾値よりも大きいと判定した場合（Ｓ６１０；Ｎｏ）、節約設定可能な項目として、紙節約（両面・集約変更）の表示をＯＦＦにした後（Ｓ６１２）、当該印刷ジョブについてチェックした項目の設定状況をチェックする（Ｓ６１３）。
画像形成装置１００のコントローラ１１０は、Ｓ６１３のチェック結果に基づいて、節約設定可能な項目として、少なくとも１つ以上がＯＮとなっているか否かを判定し（Ｓ６１４）、少なくとも１つ以上がＯＮとなっていると判定した場合（Ｓ６１４；Ｙｅｓ）、図４に示した節約設定画面４０１を表示する（Ｓ６１５）。このとき表示される節約設定画面４０１には、Ｓ６１３のチェックにおいてＯＮとなっていると判定された節約設定可能な項目についての設定値（例えば、白黒印刷にチェック）が設定されたポップアップ画面が表示される。
【００２６】
コントローラ１１０は、ユーザＵから上記節約設定画面４０１に表示された節約設定可能な項目について、設定の可否の選択操作を受け付けて、適用された設定に従って印刷ジョブの印刷条件を変更し（Ｓ６１６）、変更した印刷条件にしたがって印刷ジョブを実行する（Ｓ６１７）。一方、コントローラ１１０は、少なくとも１つ以上がＯＮとなっていないと判定した場合（Ｓ６１４；Ｎｏ）、節約設定画面４０１を表示することなく、印刷ジョブを実行する（Ｓ６１７）。
このように、本実施例では、印刷ジョブ出力時の画像形成装置１００のトナー残量や用紙残量をはじめ、印刷ジョブを実行する時点における画像形成装置１００の消耗品に関する状態を示すCapability情報と、印刷ジョブを実行するときの印刷データの印刷条件とに基づいて、節約が必要と思われる項目（例えば、トナー残量、用紙残枚数等の消耗品）と、印刷ジョブの印刷条件（例えば、カラー印刷やモノクロ印刷などの印刷属性）を確認し、確認結果に基づいて節約設定画面を表示し、ユーザに選択を促す。したがって、画像形成装置１００で印刷を実行するために必要なリソースの状態に応じた節約設定画面を表示することができるとともに、通常通り印刷したいユーザの利便性を損なうことなく、印刷コストを抑制することができ、容易な節約設定やその変更が可能となる。
【００２７】
すなわち、操作パネル１２０が、印刷ジョブを実行して印刷データを媒体に印刷する画像形成装置１００において、ユーザから１または複数の印刷ジョブの選択を受け付け、センサ（例えば、トナー残量検知センサ１５０、用紙残量検知センサ１６０）が、画像処理装置１００の消耗品に関する状態を検知し、コントローラ１１０が、印刷ジョブを実行する時点における消耗品に関する状態を示す情報と、印刷データの印刷条件とに基づいて、ユーザから選択された印刷ジョブについて、消耗品について節約設定するための節約設定画面４０１を操作パネル１２０に表示し、ユーザにより設定された消耗品の節約設定にしたがって印刷ジョブを実行し、印刷データを媒体に印刷する。したがって、ユーザが意図した設定（印刷条件や画像形成装置１００の消耗品に関する状態）に従って印刷データの印刷が可能となる。
【００２８】
また、ネットワークと接続するためのネットワークＩ／Ｆ１１３を備え、コントローラ１１０が、印刷ジョブをネットワーク経由で実行する場合において、ネットワークＩ／Ｆ１１３から得られる回線速度または／および印刷データの大きさを読み取り、ネットワーク経由での印刷が一定以上の時間がかかるか否かを判定し、ネットワーク経由での印刷が一定以上の時間がかかると判定した場合、カラー印刷の有無または／および両面印刷の有無に関する節約設定画面４０１を操作パネル１２０に表示する。したがって、ネットワーク負荷や印刷時間を考慮した節約設定が可能となる。
【００２９】
また、コントローラ１１０が、印刷ジョブを実行するための印刷ジョブ実行画面であって、節約設定にしたがって印刷ジョブを実行するための節約スタートキー３０１５と、節約設定を行わずに印刷ジョブを実行するためのスタートキー３０１４とを表示した印刷ジョブ実行画面（ジョブリスト表示画面３０１）を操作パネル１２０に表示し、ユーザから節約スタートキー３０１５またはスタートキー３０１４のいずれかの選択を受け付けて、印刷ジョブを実行する。したがって、ユーザは、一度の操作で通常通り印刷するか、または節約して印刷するかを選択することが可能となる。
【００３０】
また、コントローラ１１０は、節約スタートキー３０１５を、節約設定する項目ごとに１または複数設定した上記印刷ジョブ実行画面に表示し、ユーザから節約スタートキー３０１５のいずれかの選択を受け付けて、印刷ジョブを実行する。したがって、ユーザは、一度の操作で節約項目ごとに設定した節約設定にしたがって印刷を実行することができる。
また、コントローラ１１０は、ユーザごとに、節約設定画面４０１を操作パネル１２０に表示する。したがって、複数のユーザのそれぞれについて、節約設定画面４０１を表示することができる。
【符号の説明】
【００３１】
１              印刷制御システム
１００          画像処理装置
１１０          コントローラ
１２０          操作パネル
１３０          プロッタ
１４０          スキャナ
１５０          トナー残量検知センサ
１６０          用紙残量検知センサ
２００          情報処理装置
３００          印刷管理サーバ
Ｎ              ネットワーク
Ｂ              バス
【先行技術文献】
【特許文献】
【００３２】
【特許文献１】特開平０７−２９８０３８号公報
【図１】
2019155818.tif 000003
【図２】
2019155818.tif 000004
【図３】
2019155818.tif 000005
【図４】
2019155818.tif 000006
【図５】
2019155818.tif 000007
【図６】
2019155818.tif 000008